【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
埋め込み情報に基づいて、電子透かしとして埋め込む埋め込み信号を作成する埋め込み信号作成部と、
デジタル画像信号を複数画素単位のブロックに分割するブロック分割部と、
前記ブロックのそれぞれを直交変換し複数の周波数成分に変換する直交変換部と、
前記埋め込み信号作成部が作成した埋め込み信号に基づいて、前記複数の周波数成分の少なくとも１つの値を、前記ブロック内の画像変化量が検出を考慮して予め定められた特定のパターンとなるように、所定の規則で操作する電子透かし埋め込み部を備える電子透かし埋め込み装置。
【請求項２】
前記特定のパターンは、前記画像変化量が正となる領域と、前記画像変化量が負となる領域とが、交互に存在するパターンである請求項１記載の電子透かし埋め込み装置。
【請求項３】
前記埋め込み信号作成部は、埋め込み情報を２値のビット列に変換し、前記２値のビット列を前記埋め込み信号とする請求項１記載の電子透かし埋め込み装置。
【請求項４】
前記埋め込み信号作成部は、予め用意した埋め込み情報と擬似乱数系列を対応付けた対応表を用いて、埋め込み情報と対応する擬似乱数系列を選択し、選択した擬似乱数系列を埋め込み信号とする請求項１記載の電子透かし埋め込み装置。
【請求項５】
前記複数の周波数成分に基づいて第１の特徴量を抽出する第１の特徴量抽出部と、
抽出された前記第１の特徴量に基づいて、前記複数の周波数成分の少なくとも１つの値を選択する選択部とを、さらに備える請求項１から４記載の電子透かし埋め込み装置。
【請求項６】
前記第１の特徴量抽出部は、前記ブロックと前記ブロックに隣接するブロックにおける複数の周波数成分に基づいて前記第１の特徴量を抽出する請求項５記載の電子透かし埋め込み装置。
【請求項７】
前記第１の特徴量は、前記ブロック内の画像における、垂直方向のエッジに対応する特定の周波数成分の総和、水平方向のエッジに対応する特定の周波数成分の総和、斜め方向のエッジに対応する特定の周波数成分の総和のうち、一種又は二種以上の組み合わせである請求項５または６記載の電子透かし埋め込み装置。
【請求項８】
前記選択部は、前記第１の特徴量に基づいて、前記ブロック内の画像において、垂直方向のエッジ、水平方向のエッジ、斜め方向のエッジのうちいずれが支配的であるかを判定し、判定結果に基づいて複数の周波数成分の少なくとも１つを選択する請求項７記載の電子透かし埋め込み装置。
【請求項９】
前記電子透かし埋め込み部の前記操作は、前記値の増減である請求項１から８記載の電子透かし埋め込み装置。
【請求項１０】
前記直交変換部は、離散コサイン変換を行う請求項１から９記載の電子透かし埋め込み装置。
【請求項１１】
前記特定のパターンは、離散コサイン変換の基底画像で表されるパターンを含む請求項１０記載の電子透かし埋め込み装置。
【請求項１２】
前記複数の周波数成分から第２の特徴量を抽出する第２の特徴量抽出部を、さらに備え、
前記電子透かし埋め込み部は、抽出された前記第２の特徴量に基づいて、前記値の前記増減の大きさを変更する請求項９記載の電子透かし埋め込み装置。
【請求項１３】
前記複数の周波数成分は、直流成分値と特定の交流成分値とを備え、
前記第２の特徴量は、前記直流成分値と前記特定の交流成分値との一方又は双方の総和である請求項１２記載の電子透かし埋め込み装置。
【請求項１４】
画像信号を入力する入力部と、
前記入力部から入力された画像信号を複数画素単位のブロックに分割するブロック分割部と、
前記ブロック内における領域を選択する領域選択部と、
前記選択された領域に基づいて所定の演算を行う演算部と、
前記演算部の出力値に基づいて、埋め込まれたビットの値を検出するビット検出部と、
前記ビット検出部が検出したビット値から、埋め込まれたビット列を決定するビット列決定部と、
前記ビット列決定部が決定したビット列を出力する検出ビット列出力部を備える電子透かし検出装置。
【請求項１５】
画像信号を入力する入力部と、
前記入力部から入力された画像信号を複数画素単位のブロックに分割するブロック分割部と、
前記ブロック内における領域を選択する領域選択部と、
前記選択された領域に基づいて所定の演算を行う演算部と、
埋め込み情報と擬似乱数系列を対応付けた対応表を保持する系列記録部と、
前記演算部がブロック毎に演算した出力値の系列と、前記対応表に含まれる擬似乱数系列との相関値を算出し、得られた相関値の中で、最大の相関値を出力する相関値算出部と、
相関値の閾値を設定する閾値設定部と、
前記相関値算出部が出力する最大の相関値と前記閾値設定部で設定された閾値を比較し、比較結果に適合する擬似乱数系列を出力する比較部と、
前記比較部が出力する擬似乱数系列と前記対応表とに基づいて埋め込みビット列を決定するビット列決定部と、
前記ビット列決定部が決定したビット列を出力する検出ビット列出力部を備える電子透かし検出装置。
【請求項１６】
前記領域選択部が選択した領域に隣接する隣接領域を選択する隣接領域選択部をさらに備え、
前記演算部は、前記領域選択部が選択した領域と、前記隣接領域選択部が選択した隣接領域に基づいて所定の演算を行う請求項１４または１５記載の電子透かし検出装置。
【請求項１７】
前記領域選択部は、前記ブロックの存在する現フレームに加え、再生順で前記現フレームの前のフレームと前記現フレームの後のフレームの少なくとも一方において、前記ブロック内における領域を選択する請求項１４または１５記載の電子透かし検出装置。
【請求項１８】
前記隣接領域選択部は、前記ブロックの存在する現フレームに加え、再生順で前記現フレームの前のフレームと前記現フレームの後のフレームの少なくとも一方において、前記領域選択部が選択した領域に隣接する隣接領域を選択する請求項１６記載の電子透かし検出装置。
【請求項１９】
埋め込み情報に基づいて、電子透かしとして埋め込む埋め込み信号を作成する埋め込み信号作成ステップと、
デジタル画像信号を複数画素単位のブロックに分割するブロック分割ステップと、
前記ブロックのそれぞれを直交変換し複数の周波数成分に変換する直交変換ステップと、
前記埋め込み信号作成ステップで作成した埋め込み信号に基づいて、前記複数の周波数成分の少なくとも１つの値を、前記ブロック内の画像変化量が検出を考慮して予め定められた特定のパターンになるように、所定の規則で操作する電子透かし埋め込みステップを備える電子透かし埋め込み方法。
【請求項２０】
画像信号を入力する入力ステップと、
前記入力ステップから入力された画像信号を複数画素単位のブロックに分割するブロック分割ステップと、
前記ブロック内における領域を選択する領域選択ステップと、
選択された領域に基づいて所定の演算を行う演算ステップと、
前記演算ステップの出力値に基づいて、埋め込まれたビットの値を検出するビット検出ステップと、
前記ビット検出ステップにおいて検出されたビット値から、埋め込まれたビット列を決定するビット列決定ステップと、
前記ビット列決定ステップにおいて決定されたビット列を出力する検出ビット列出力ステップを備える電子透かし検出方法。
【請求項２１】
画像信号を入力する入力ステップと、
前記入力ステップから入力された画像信号を複数画素単位のブロックに分割するブロック分割ステップと、
前記ブロック内における領域を選択する領域選択ステップと、
選択された領域に基づいて所定の演算を行う演算ステップと、
埋め込み情報と擬似乱数系列を対応付けた対応表を保持する系列記録ステップと、
前記演算ステップがブロック毎に演算した出力値の系列と、前記対応表に含まれる擬似乱数系列との相関値を算出し、得られた相関値の中で、最大の相関値を出力する相関値算出ステップと、
相関値の閾値を設定する閾値設定ステップと、
前記相関値算出ステップが出力する最大の相関値と前記閾値設定ステップで設定された閾値を比較し、比較結果に適合する擬似乱数系列を出力する比較ステップと、
前記比較ステップが出力する擬似乱数系列と前記対応表とに基づいて埋め込みビット列を決定するビット列決定ステップと、
前記ビット列決定ステップにおいて決定したビット列を出力する検出ビット列出力ステップを備える電子透かし検出方法。
【請求項２２】
埋め込み情報に基づいて、電子透かしとして埋め込む信号を作成する埋め込み信号作成ステップと、
デジタル画像信号を複数画素単位のブロックに分割するブロック分割ステップと、
前記ブロックのそれぞれを直交変換し複数の周波数成分に変換する直交変換ステップと、
前記埋め込み信号作成ステップで作成した埋め込み信号に基づいて、前記複数の周波数成分の少なくとも１つの値を、前記ブロック内の画像変化量が検出を考慮して予め定められた特定のパターンになるように、所定の規則で操作する電子透かし埋め込みステップを備える電子透かし埋め込みプログラムをコンピュータ読み取り可能に記録した記録媒体。
【請求項２３】
画像信号を入力する入力ステップと、
前記入力ステップから入力された画像信号を複数画素単位のブロックに分割するブロック分割ステップと、
前記ブロック内における領域を選択する領域選択ステップと、
選択された領域に基づいて所定の演算を行う演算ステップと、
前記演算ステップの出力値に基づいて、埋め込まれたビットの値を検出するビット検出ステップと、
前記ビット検出ステップにおいて検出されたビット値から、埋め込まれたビット列を決定するビット列決定ステップと、
前記ビット列決定ステップにおいて決定されたビット列を出力する検出ビット列出力ステップを備える電子透かし検出プログラムをコンピュータ読み取り可能に記録した記録媒体。
【請求項２４】
圧縮画像信号を分離する分離部と、
分離された圧縮画像信号を可変長復号して周波数成分を出力する可変長復号部と、
出力された周波数成分に電子透かしを埋め込む電子透かし埋め込み部と、
電子透かしが埋め込まれた周波数成分を可変長符号化する可変長符号化部と、
可変長符号化された圧縮画像信号を多重化する多重化部とを備える電子透かし埋め込み装置。